(57)【要約】  【課題】  簡単な構成であってもカラー信号間のクロストークを容易に防止できるカラー信号処理回路を提供する。  【解決手段】  トランジスタ２Ｒ，２Ｇ，２Ｂのベース１１はＣＣＤ１Ｒ，１Ｇ，１Ｂの出力端子に接続され、それらのエミッタ１２はマルチプレクサ３の入力端子３Ｒ，３Ｇ，３Ｂに接続され、それらのコレクタ１３は抵抗１４を介して接地されている。マルチプレクサ３の出力端子３ａには、抵抗４を介して電源５が接続されている。Ｒ成分のカラー信号がマルチプレクサ３で選択されている場合、対応するトランジスタ２Ｒと抵抗４とによりエミッタフォロワが構成され、インピーダンス変換されたＲ成分のカラー信号が、マルチプレクサ３からサンプル／ホールド器６へ出力される。このとき、マルチプレクサ３で選択されていないＧ成分，Ｂ成分のカラー信号については、対応するトランジスタ２Ｇ，２Ｂがエミッタフォロワとして機能しない。【選択図】      図１
2007043307.tif 000002
【特許請求の範囲】
【請求項１】
複数色のカラー信号を入力し、入力した各色のカラー信号を選択的に切り替えて出力する選択手段を備えたカラー信号処理回路において、
前記選択手段の入力側に各色のカラー信号に対応して、カラー信号が入力されるベースと、前記選択手段の入力端子に接続されるエミッタと、接地されるコレクタとを有するトランジスタを設けてあり、前記選択手段は抵抗を介して電源に接続される出力端子を有しており、前記選択手段により選択されたカラー信号に対応するトランジスタと前記抵抗とによりエミッタフォロワを構成するようにしてあることを特徴とするカラー信号処理回路。
【請求項２】
前記選択手段はマルチプレクサであることを特徴とする請求項１に記載のカラー信号処理回路。
【発明の詳細な説明】
【技術分野】
【０００１】
本発明は、各色毎のイメージセンサからのカラー信号を処理するカラー信号処理回路に関し、特に、各色のカラー信号間におけるクロストーク（複数のカラー信号のカップリング）を低減するカラー信号処理回路に関するものである。
【背景技術】
【０００２】
各色毎にＣＣＤを設けて、各ＣＣＤで画像を読み取って得られる各色成分毎のカラー信号に対して処理を行うカラー信号処理回路がある。各ＣＣＤからのアナログカラー信号を処理する場合には、各カラー信号間のクロストークが問題となる。特に、１つのカラー信号処理回路を各色で共有して、各ＣＣＤからのカラー信号をマルチプレクサで選択的に切り替えるような構成にあっては、マルチプレクサ内でのカラー信号間におけるクロストークが無視できない。マルチプレクサ内でクロストークが発生した場合、各色のカラー信号が混じり合って、画質劣化の原因となる。
【０００３】
そこで、従来では、カレント・ミラー回路を用いて、クロストーク成分をキャンセルするようにしたマルチカラー信号処理回路が提案されている（特許文献１参照）。
【特許文献１】特開２０００−１６５６７５号公報
【発明の開示】
【発明が解決しようとする課題】
【０００４】
特許文献１に開示されたカラー信号処理回路では、カレント・ミラー回路を用いているため、回路構成が複雑で大型化するという問題がある。また、回路定数（各抵抗の値）を設定することに困難が伴うという問題もある。
【０００５】
本発明は斯かる事情に鑑みてなされたものであり、簡単な構成であってもカラー信号間のクロストークを容易に防止できるカラー信号処理回路を提供することを目的とする。
【課題を解決するための手段】
【０００６】
本発明に係るカラー信号処理回路は、複数色のカラー信号を入力し、入力した各色のカラー信号を選択的に切り替えて出力する選択手段を備えたカラー信号処理回路において、前記選択手段の入力側に各色のカラー信号に対応して、カラー信号が入力されるベースと、前記選択手段の入力端子に接続されるエミッタと、接地されるコレクタとを有するトランジスタを設けてあり、前記選択手段は抵抗を介して電源に接続される出力端子を有しており、前記選択手段により選択されたカラー信号に対応するトランジスタと前記抵抗とによりエミッタフォロワを構成するようにしてあることを特徴とする。
【０００７】
本発明のカラー信号処理回路にあっては、選択手段の入力側に各色毎に設けられた各トランジスタのベースに検出された各カラー信号が入力され、その各トランジスタのエミッタが選択手段の入力端子に接続し、その各トランジスタのコレクタが接地されており、選択手段の出力端子は、抵抗を介して電源に接続されている。よって、選択手段で選択されたカラー信号に対応するトランジスタと抵抗とによりエミッタフォロワが構成されるが、選択手段で選択されないカラー信号に対応するトランジスタはエミッタフォロワとして機能しない。よって、選択手段で選択されたカラー信号については、エミッタフォロワが構成されて、インピーダンス変換されたカラー信号が選択手段から出力される。一方、選択手段で選択されないカラー信号については、エミッタフォロワが構成されず、対応するトランシスタのエミッタから信号がほとんど出力されない。この結果、選択手段内でのクロストークが防止される。
【０００８】
本発明に係るカラー信号処理回路は、上記構成において、前記選択手段がマルチプレクサであることを特徴とする。
【０００９】
本発明のカラー信号処理回路にあっては、選択手段としてマルチプレクサを使用する。よって、各色毎のカラー信号に対する処理を１系統の回路で行える。
【発明の効果】
【００１０】
本発明のカラー信号処理回路では、そのベースにカラー信号が入力され、そのエミッタが選択手段の入力端子に接続され、そのコレクタが接地されているトランジスタを、選択手段の入力側に各カラー信号に対応させて配置し、選択手段の出力端子を抵抗を介して電源に接続するように構成したので、選択手段で選択されたカラー信号についてはエミッタフォロワが構成されるが、選択されないカラー信号についてはエミッタフォロワが構成されないためにエミッタから信号はほとんど出力されず、選択手段内でのクロストークを防止することができ、クロストークに伴う画質劣化を抑制することができる。
【００１１】
本発明のカラー信号処理回路では、選択手段がマルチプレクサであるので、各色毎のカラー信号に対する処理を１系統の回路で行うことができる。
【発明を実施するための最良の形態】
【００１２】
以下、本発明をその実施の形態を示す図面を参照して具体的に説明する。なお、本発明は、以下の実施の形態に限定されるものではない。
【００１３】
図１は、本発明のカラー信号処理回路の構成を示す回路図である。図において、１はイメージセンサであり、イメージセンサは、画像の読取りによりそれぞれＲ成分，Ｇ成分，Ｂ成分のアナログカラー信号を取得するＣＣＤ１Ｒ，１Ｇ，１Ｂを有している。３は各アナログカラー信号（Ｒ信号，Ｇ信号，Ｂ信号）を選択的に切り替える選択手段としてのマルチプレクサである。
【００１４】
マルチプレクサ３の入力側には、各カラー信号にに対応して、トランジスタ２Ｒ，２Ｇ，２Ｂが設けられている。トランジスタ２Ｒのベース１１はＲ成分用のＣＣＤ１Ｒの出力端子に接続され、トランジスタ２Ｒのエミッタ１２はマルチプレクサ３の入力端子３Ｒに接続され、トランジスタ２Ｒのコレクタ１３は抵抗１４を介して接地されている。トランジスタ２Ｇ，２Ｂは何れも、トランジスタ２Ｒと同様の構成をなしており、そのベース１１はＧ成分用，Ｂ成分用のＣＣＤ１Ｇ，１Ｂの出力端子に接続され、そのエミッタ１２はマルチプレクサ３の入力端子３Ｇ，３Ｂに接続され、そのコレクタ１３は抵抗１４を介して接地されている。
【００１５】
マルチプレクサ３の出力端子３ａには、抵抗４を介して電源５（＋１２Ｖ）が接続されている。また、マルチプレクサ３の出力端子３ａには、マルチプレクサ３で選択されたアナログカラー信号を取得して保持するサンプル／ホールド器６、サンプル／ホールド器６の出力を増幅する増幅器７、増幅器７の出力をデジタル値に変換するＡ／Ｄ変換器８が、この順に接続されている。
【００１６】
次に、このような構成をなす本発明のカラー信号処理回路の動作について説明する。原稿が光学系（図示せず）で読み取られ、Ｒ成分，Ｇ成分，Ｂ成分の各色成分毎にアナログのカラー信号が各ＣＣＤ１Ｒ，１Ｇ，１Ｂから対応する各トランジスタ２Ｒ，２Ｇ，２Ｂのベース１１へ出力される。各トランジスタ２Ｒ，２Ｇ，２Ｂからのカラー信号は、マルチプレクサ３で時分割で選択され、選択されたカラー信号がサンプル／ホールド器６へ出力される。この際、各トランジスタ２Ｒ，２Ｇ，２Ｂと抵抗４とによってエミッタフォロワが構成され、各ＣＣＤ１Ｒ，１Ｇ，１Ｂから出力された各色成分毎のアナログのカラー信号がインピーダンス変換され、インピーダンス変換されたカラー信号がサンプル／ホールド器６へ出力される。
【００１７】
本発明では、マルチプレクサ３の出力側に抵抗４を設けているため、各色成分において常にエミッタフォロワが構成されるのではなく、マルチプレクサ３により選択されている色成分のカラー信号についてのみ、エミッタフォロワが構成され、インピーダンス変換されたその色成分のカラー信号が、マルチプレクサ３から出力される。このとき、選択されていないカラー信号については、エミッタフォロワが構成されない。
【００１８】
例えば、Ｒ成分のカラー信号がマルチプレクサ３で選択されている場合には、対応するトランジスタ２Ｒと抵抗４とによりエミッタフォロワが構成され、インピーダンス変換されたＲ成分のカラー信号が、マルチプレクサ３からサンプル／ホールド器６へ出力される。この場合、マルチプレクサ３で選択されていないＧ成分，Ｂ成分のカラー信号については、対応するトランジスタ２Ｇ，２Ｂはエミッタフォロワとして機能しないので、各トランジスタ２Ｇ，２Ｂのエミッタ１２からカラー信号はほとんどマルチプレクサ３へ出力されない。よって、マルチプレクサ３内において、Ｒ成分のカラー信号にＧ成分のカラー信号またはＢ成分のカラー信号が混入することが少なくなり、クロストークを防止することができる。
【００１９】
なお、Ｇ成分のカラー信号がマルチプレクサ３で選択されている場合、及び、Ｂ成分のカラー信号がマルチプレクサ３で選択されている場合にも、全く同様にして、クロストークを防止することが可能となる。
【００２０】
本発明では、特許文献１に見られるカレント・ミラー回路のような大嵩な部材を設けることなく、簡単な構成で容易にマルチプレクサ３内でのクロストークの発生を容易に抑制することができる。
【図面の簡単な説明】
【００２１】
【図１】本発明のカラー信号処理回路の構成を示す回路図である。
【符号の説明】
【００２２】
１  イメージセンサ
１Ｒ，１Ｇ，１Ｂ  ＣＣＤ
２Ｒ，２Ｇ，２Ｂ  トランジスタ
３  マルチプレクサ（選択手段）
３Ｒ，３Ｇ，３Ｂ  入力端子
３ａ  出力端子
４  抵抗
５  電源
１１  ベース
１２  エミッタ
１３  コレクタ
【図１】
2007043307.tif 000003